(57)【要約】【課題】映像表示装置の内部に存在する基板間の接続を検査するに際し、大掛かりな設備や検査の人件費も必要とせずに簡易に接続の有無を判定する。【解決手段】映像信号入力部１１から入力されたコンポジット信号、Ｙ／Ｃ分離信号、コンポーネント信号を、映像処理回路１２の各入力信号に対応する信号処理回路へ出力するか、映像処理回路１２の輝度信号処理部２４へ出力するかを切り換える切換回路２２を備える。基板間接続検査時には映像信号入力部１１の各端子からランプ信号を入力し、切換回路２２はそれを順次輝度信号処理部２４へ出力するよう切り換える。輝度信号処理部２４は、ランプ信号に対する逆ランプ信号を発生させ、ランプ信号と逆ランプ信号とを１／２ずつの比率でαブレンディングし、その信号レベルを検出し、マイコン１４はαブレンディング信号がランプ信号のピークレベルの１／２のレベルに対して所定の範囲内のレベルをもつかを判定する。【選択図】図１
2007174257.tif 000002
【特許請求の範囲】
【請求項１】
外部より入力された映像信号に対して映像処理を施す映像処理回路を備え、該映像処理回路で映像処理された信号を表示する映像表示装置において、
コンポジット信号、Ｙ／Ｃ分離信号、及びコンポーネント信号の各入力信号を入力し、前記映像処理回路に設けられた各入力信号に対応する信号処理回路へ出力するか、前記映像処理回路に設けられた輝度信号処理回路へ出力するかを切り換える切換回路を備え、
該切換回路は、当該映像表示装置の内部に存在する基板間の接続を検査するに際し、前記各入力信号としてランプ信号を入力し、該ランプ信号を順次前記輝度信号処理回路へ出力する切り換えを行い、
前記輝度信号処理回路は、基板間接続検査用に前記切換回路を介して入力されるランプ信号に対し、逆ランプ信号を発生させる逆ランプ信号発生手段と、前記入力されたランプ信号に対し、該ランプ信号と前記逆ランプ信号発生手段で発生させた逆ランプ信号とを１／２ずつの比率でアルファブレンディングして出力するブレンディング手段と、該ブレンディング手段でブレンディングされた信号が、前記ランプ信号のピークレベルの１／２のレベルに対して所定の範囲内のレベルをもつかを判定するレベル判定手段とを備えることを特徴とする映像表示装置。
【請求項２】
前記レベル判定手段は、前記ランプ信号におけるランプ波形の両端の所定部分を除いてレベル判定を行うことを特徴とする請求項１に記載の映像表示装置。
【請求項３】
映像表示装置の内部に存在する基板間の接続を検査する基板間接続検査方法であって、前記映像表示装置は、外部より入力された映像信号に対して映像処理を施す映像処理回路と、コンポジット信号、Ｙ／Ｃ分離信号、及びコンポーネント信号の各入力信号を入力し、前記映像処理回路に設けられた各入力信号に対応する信号処理回路へ出力するか、前記映像処理回路に設けられた輝度信号処理回路へ出力するかを切り換える切換回路を備え、当該基板間接続検査方法は、前記各入力信号としてランプ信号を入力するステップと、該ランプ信号を順次前記輝度信号処理回路へ出力する切り換えを前記切換回路で行うステップと、基板間接続検査用に前記切換回路を介して前記輝度信号処理回路に入力されるランプ信号に対し、逆ランプ信号を発生させるステップと、前記入力されたランプ信号に対し、該ランプ信号と前記発生させた逆ランプ信号とを１／２ずつの比率でアルファブレンディングするステップと、該ブレンディングさた信号が、前記ランプ信号のピークレベルの１／２のレベルに対して所定の範囲内のレベルをもつかを判定するステップとを含むことを特徴とする基板間接続検査方法。
【発明の詳細な説明】
【技術分野】
【０００１】
本発明は、映像表示装置及び基板間接続検査方法に関し、より詳細には、内部基板間の接続検査を容易に行うことが可能な映像表示装置、及び映像表示装置の内部に存在する基板間の接続を検査するための基板間接続検査方法に関する。
【背景技術】
【０００２】
テレビジョン受像機やパーソナルコンピュータ（ＰＣ）用のモニタ等の映像表示装置に組み込まれる個々の基板は、他種の装置に組み込まれるものと同様に、製造工程においてチェッカにて基板内信号伝送の確認が行われる。
【０００３】
個々の基板の信号伝送確認に関し、簡単な構成でセンサ入力型のプリント基板とスイッチ入力型のプリント基板のいずれに対しても動作試験を行うことができるプリント基板の検査装置が提案されている（例えば、特許文献１を参照）。特許文献１に記載の検査装置では、センサ入力型のプリント基板の検査時には、スイッチにより基準電位回路を選択し、基準電位回路から所定の基準電位を生成して中間点に出力させる一方、制御部によりＤ／Ａ変換器からセンサ入力型プリント基板の動作試験に必要な入力信号の電位を出力させ、この状態で、複数の入力端子用スイッチを適宜切り替える。一方、スイッチ入力型のプリント基板の検査時には、スイッチによりグラウンドを選択し、制御部によりＤ／Ａ変換器からＨレベルに相応する所定の電位を生成して出力させ、この状態で、複数の入力端子用スイッチを適宜切り替える。
【０００４】
同じく個々の基板の信号伝送確認に関し、複数のプリント配線基板（ＰＷＢ）テストを任意数まとめて一括して行うことのできるバウンダリスキャンを適用したＰＷＢテスト装置が提案されている（例えば、特許文献２を参照）。特許文献２に記載のＰＷＢテスト装置は、ファンクションテスタに複数のＰＷＢを収容したラックを直接接続できるようにしている。特に、ラック内にバウンダリスキャン用のテスト配線を形成したＢＷＢ（バックワイヤリングボード）を設けてこのＢＷＢに複数のＰＷＢを接続し、ファンクションテスタから送出されるテストデータを、ＢＷＢを経由して各ＰＷＢに入力できるようにしている。また、各ＰＷＢにＩＤコードを識別する機能とパス切り替え機能を有するセレクタを設けるようにして、テスタ側でＩＤを指定することで、任意のＰＷＢのテストを実施できるようにしている。
【０００５】
一方で、映像表示装置の組立て時には、基板間接続（Ｂ−ＴＯ−Ｂやソケット／ハーネス加工品）を含めた信号伝送の確認も行われる。このような検査は、例えば基板の上側の部分までネガの下側からきちんと導通しているか、さらには基板間のワイヤに断線が無いかなどといったことを確認し、最終的に組立後の基板群がきちんと導通しているかを確認するために実行される。そして、映像表示装置のこのような検査として一番厳格なものは、当然、表示パネルに出力されてるか否かの検査である。そのような基板間接続の検査方法としては、主として仕上げ工程にて実行されており、例えば、各入力端子へ信号を接続し、表示部である画面上の画像を検査者が見て、或いはセンサによりその画像を判定することで、判断するなどしている。
【特許文献１】特開２００４−３３３３２２号公報
【特許文献２】特開平１１−３０４８７９号公報
【発明の開示】
【発明が解決しようとする課題】
【０００６】
しかしながら、映像表示装置の組立て時に行われる上述のごとき基板間接続検査方法では、自動検査化にはセンサなどの設備が大掛かりとなる上にコストがかかり、そのような設備を設けない場合であっても、検査用の人件費が嵩むこととなる。
【０００７】
また、映像表示装置の各入力端子部から信号処理部までの信号路を検査する場合において、デジタル信号処理系では、コンポジット信号やＹ／Ｃ信号では輝度信号の概略レベルや同期検出の有無及びＡＣＣのレベル等での判定が可能だが、コンポーネント信号においては輝度信号を除いて前述のような判定も難しい。
【０００８】
本発明は、上述のごとき実情に鑑みてなされたものであり、映像表示装置の内部に存在する基板間の接続を検査するに際し、大掛かりな設備や検査の人件費も必要とせずに簡易に接続の有無を判定することが可能な、映像表示装置及びその映像表示装置における基板間接続検査方法を提供することを、その目的とする。
【課題を解決するための手段】
【０００９】
本発明は、上述のごとき課題を解決するために、以下の各技術手段でそれぞれ構成される。
【００１０】
第１の技術手段は、外部より入力された映像信号に対して映像処理を施す映像処理回路を備え、該映像処理回路で映像処理された信号を表示する映像表示装置において、コンポジット信号、Ｙ／Ｃ分離信号、及びコンポーネント信号の各入力信号を入力し、前記映像処理回路に設けられた各入力信号に対応する信号処理回路へ出力するか、前記映像処理回路に設けられた輝度信号処理回路へ出力するかを切り換える切換回路を備え、該切換回路は、当該映像表示装置の内部に存在する基板間の接続を検査するに際し、前記各入力信号としてランプ信号を入力し、該ランプ信号を順次前記輝度信号処理回路へ出力する切り換えを行い、前記輝度信号処理回路は、基板間接続検査用に前記切換回路を介して入力されるランプ信号に対し、逆ランプ信号を発生させる逆ランプ信号発生手段と、前記入力されたランプ信号に対し、該ランプ信号と前記逆ランプ信号発生手段で発生させた逆ランプ信号とを１／２ずつの比率でアルファブレンディングして出力するブレンディング手段と、該ブレンディング手段でブレンディングされた信号が、前記ランプ信号のピークレベルの１／２のレベルに対して所定の範囲内のレベルをもつかを判定するレベル判定手段とを備えることを特徴としたものである。
【００１１】
第２の技術手段は、第１の技術手段において、前記レベル判定手段は、前記ランプ信号におけるランプ波形の両端の所定部分を除いてレベル判定を行うことを特徴としたものである。
【００１２】
第３の技術手段は、映像表示装置の内部に存在する基板間の接続を検査する基板間接続検査方法であって、前記映像表示装置は、外部より入力された映像信号に対して映像処理を施す映像処理回路と、コンポジット信号、Ｙ／Ｃ分離信号、及びコンポーネント信号の各入力信号を入力し、前記映像処理回路に設けられた各入力信号に対応する信号処理回路へ出力するか、前記映像処理回路に設けられた輝度信号処理回路へ出力するかを切り換える切換回路を備え、当該基板間接続検査方法は、前記各入力信号としてランプ信号を入力するステップと、該ランプ信号を順次前記輝度信号処理回路へ出力する切り換えを前記切換回路で行うステップと、基板間接続検査用に前記切換回路を介して前記輝度信号処理回路に入力されるランプ信号に対し、逆ランプ信号を発生させるステップと、前記入力されたランプ信号に対し、該ランプ信号と前記発生させた逆ランプ信号とを１／２ずつの比率でアルファブレンディングするステップと、該ブレンディングさた信号が、前記ランプ信号のピークレベルの１／２のレベルに対して所定の範囲内のレベルをもつかを判定するステップとを含むことを特徴としたものである。
【発明の効果】
【００１３】
本発明によれば、映像表示装置の内部に存在する基板間の接続を検査するに際し、大掛かりな設備や検査の人件費も必要とせずに簡易に接続の有無を判定することが可能となる。
【発明を実施するための最良の形態】
【００１４】
図１は、本発明の一実施形態に係る映像表示装置の一構成例を示すブロック図で、図２は、図１の映像表示装置における切換回路の一例を示す配線図である。図１及び図２において、１は映像表示装置、１１は映像信号入力部、１１ａはコンポジット信号入力端子、１１ｂはＹ／Ｃ信号入力端子、１１ｃはコンポーネント信号入力端子、１２は映像処理回路、１３は液晶パネルやプラズマディスプレイパネル等の表示パネル、１４はマイクロコンピュータ（以下、マイコンという）、１４ａはレベル判定部、１５は操作部、２１はＡＤコンバータ、２２は切換回路、２３はＹ／Ｃ分離部、２４は輝度信号処理部、２４ａはパターン信号発生部、２４ｂはαブレンディング部及びレベル検出部、２５は色信号処理部、２６は画質補正部、２７はパネル信号処理部である。
【００１５】
また、図３は、本発明の基板間接続検査に用いるランプ信号、そのランプ信号に対応する逆ランプ信号、並びにそれら信号のαブレンディング処理について、概略的に例示する図で、図中、３１はランプ信号、３２は逆ランプ信号、３３はブレンディングの対象となる信号、３４はαブレンディング後の信号である。なお、図３では、説明上、信号例をアナログ的な波形として図示しているが、実際にはランプ信号３１以外は波形ではなくデジタルデータである。
【００１６】
本発明に係る映像表示装置１は、コンポジット信号入力端子、Ｙ／Ｃ信号入力端子、及びコンポーネント信号入力端子の少なくとも３系統の外部入力端子を有する映像信号入力部１１を備える。映像信号入力部１１の一つとしては、放送信号を受信するチューナ等の入力部（図示せず）も備えてもよい。そして、映像表示装置１は、映像信号処理ＩＣ等の映像処理回路１２を備え、映像処理回路１２で映像処理された信号を表示パネル１３等の表示部に表示する。
【００１７】
映像処理回路１２は、映像信号入力部１１から入力された映像信号、すなわち映像処理回路１２の外部より入力された映像信号に対して、映像処理を施す。従って、映像表示装置１は、放送信号を受信してその信号を復調して映像信号として映像処理回路１２に入力するか、外部入力端子１１ａ〜１１ｃのいずれかから入力された信号を映像処理回路１２に入力する。そして、映像処理回路１２に入力された各入力信号は、本発明に係る基板間接続検査時以外には、各入力信号に対応する信号処理回路に入力され、各信号処理回路を通過する。
【００１８】
この信号処理回路としては、入力信号が輝度信号である場合には輝度信号処理回路（主たる部分を輝度信号処理部２４として図示）が該当し、その他の信号である場合には、詳細に図示していないがＹ／Ｃ分離部及び色信号処理回路（Ｙ／Ｃ分離部２３及び色信号処理部２５として図示）が該当する。なお、本発明で基板間接続検査に用いる輝度信号処理部２４としては、コンポジット信号入力端子１１ａから入力されたＹ／Ｃ分離後のＹ信号、及びＹ／Ｃ信号入力端子１１ｂから入力されたＹ／Ｃ信号（セパレート映像信号）のうちのＹ信号、及びコンポーネント信号入力端子１１ｃから入力されたコンポーネント信号のうちのＹ信号を処理する処理部である。
【００１９】
ＡＤコンバータ２１は、入力されたアナログの映像信号をデジタルの映像信号に変換して出力するコンバータである。また、ＡＤコンバータ２１は、映像処理回路１２に外付けされていても内蔵されていてもよい。
【００２０】
本発明の主たる特徴として、映像表示装置１は、映像処理回路１２に切換回路２２を備えるものとする。切換回路２２は、図示したように一般的に映像処理回路１２の内部に組み込まれているが、輝度信号処理部２４やＹ／Ｃ分離部２３及び色信号処理部２５を施す部位の前段に設けられていれば映像処理回路１２に外設されていてもよい。なお、図１では、ＡＤコンバータ２１及び切換回路２２は映像処理回路１２のブロック内に混在させるように、例えば１つのＬＳＩに包含されている例を示している。
【００２１】
切換回路２２は、コンポジット信号、Ｙ／Ｃ分離信号、及びコンポーネント信号の各入力信号を入力し、映像処理回路１２に設けられた各入力信号に対応する各信号処理回路（Ｙ／Ｃ分離部２３、輝度信号処理部２４、色信号処理部２５）へ出力するか、本発明に係る基板間接続検査用に映像処理回路１２に設けられた輝度信号処理回路（輝度信号処理部２４）へ出力するかを切り換える回路である。すなわち、切換回路２２においては、上述した通常時（本発明の基板間接続検査時以外の場合）には前者への出力となり、本発明の基板間接続検査時には後者への出力となる。
【００２２】
切換回路２２は、図２で例示するようにクロス切換可能な回路とすることが好ましい。図２で例示する切換回路２２では、基板間接続の検査時以外には、外部入力端子１１ａ〜１１ｃから入力された各要素信号が、映像処理回路１２における対応する信号処理部の処理ラインに入力されるように、入力端子Ａ（ＣＶＢＳ），Ｂ（Ｙ），Ｄ（Ｙ）が映像処理回路１２の入力端子Ｇ（ＣＶＢＳ／Ｙ：輝度信号処理部２５の入力端子）に、入力端子Ｃ（Ｃ）が入力端子Ｈに、入力端子Ｅ（Ｃｂ）が入力端子Ｉに、入力端子Ｆ（Ｃｒ）が入力端子Ｊに、それぞれ接続されるようにスイッチングされるものとする。そして、本発明に係る基板間接続検査の実行時には、入力端子Ａ，Ｂ，Ｃ，Ｄ，Ｅ，Ｆのそれぞれが、順次、映像処理回路１２の入力端子Ｇ（ＣＶＢＳ／Ｙ）に接続されるように、スイッチングされる。
【００２３】
また、図２においてクロススイッチで表現しているのは、パターン設計を含め自由度があり、入力をどのように設定しても差し支えがないようにするためであり、最近の映像処理回路１２ではこのようなクロススイッチが装備されていることが多い。しかしながら、本発明における切換回路２２としては、このようなクロススイッチでなくても、正規の後段処理回路へのルートと輝度信号処理回路へのルートが切り替え可能になっていれば問題ない。切換回路２２は、輝度信号処理部２４へ入力される信号（ランプ信号）の入力経路を、ソフト的或いはハード的に順次切り換える。つまり、切換回路２２はハードウェア資源のみで構成されるとは限らず、実際の切り換えは、マイコン１４等からの命令に基づき、ソフト的に実行するとよい。
【００２４】
本発明の主たる特徴として、映像処理回路１２を含む映像表示装置１の内部に存在する基板間の接続を検査するに際し、入力信号として図３の符号３１で例示するランプ（ＲＡＭＰ）信号、すなわち三角波の信号を用いる。なお、図３において、ランプ信号３１は外部入力信号として入力されるアナログのランプ信号の例であり、信号３２−３４は直線状に描いているが、実際には処理内部でのデジタル信号であり、サンプリング毎に階段状となっている。なお、ランプ信号３１において「１Ｈ」は、表示パネル１３の水平１ラインに対応する期間を指している。
【００２５】
ランプ信号を用いる最大の理由は、外部入力信号と内部発生信号を内部で加算演算する場合に、ＡＤＣ２１での取り込み位相差（サンプリングタイミング）による時間軸方向のズレによるデジタル的なエラーが少ないためである。なお、階段波のような信号ではステップの切り替わりポイントでの演算時のエラーが大きく出やすくなって適さないが、ランプ波形では両端部分のみで１Ｈ内の信号中間部分には微少なエラーしか出ない。また、色（クロマ）信号成分を持たないランプ信号を用いれば基本的にＹ信号と同一と見なせ、映像処理回路１２内では、ランプ信号を輝度信号処理部２４で処理することができる。ランプ信号として１つの信号を用いる方が好ましい理由としては、後述するように逆ランプ信号を発生させる必要があり、その逆ランプ信号を多く記憶させておく必要性を無くすためである。
【００２６】
映像表示装置１における映像信号入力部１１で入力されてくる信号としては、図２の例でいうとコンポジット信号（ＣＶＢＳ）で入力される場合や、輝度信号（Ｙ）と色（クロマ）信号（Ｃ）で入力される場合、或いはコンポーネント信号（ＹＣｂＣｒ）で入ってくる場合など、様々であり、厳密に表示パネル１３での表示を検査するには本来であるとこれらの信号を入力してみて実際に表示される映像が問題ないかを確認する必要がある。しかしながら、本発明で取り扱っている基板間接続の検査では、表示パネル１３の画面を見て判定する必要はなく、上述のごとき各種信号が入力され処理される信号ラインのそれぞれが確実に接続されているか、例えば映像処理回路１２内の複数の基板及びマイコン１４や図示しない階調ＩＣなどの基板間が確実に接続されているかを確認できればよい。従って、本発明では、基板間の接続を検査するに際し、各入力端子Ａ〜Ｆに入力信号としてランプ信号が入力され、切換回路２２は、Ｇ（ＣＶＢＳ／Ｙ）端子の入力元を、順次各入力端子Ａ〜Ｆに切り換えることで、Ｇ端子から輝度信号処理部２４へ入力されるランプ信号の入力経路を、ソフト的或いはハード的に順次切り換える。このように、本発明では、基本的に１つの検査用信号（ランプ信号）を用いて映像処理回路１２内では輝度信号処理部２４だけを通過させて、入力端子１１ａ〜１１ｃから輝度信号処理回路１２の前段の経路及びマイコン１４との経路を検査している。
【００２７】
このように、基板間接続検査時であっても、通常時と同様に外部入力端子１１ａ〜１１ｃから映像処理回路１２の各コンポジット、Ｙ／Ｃ、コンポーネント入力端子まではそれぞれの信号ラインを通過させるが、基板間接続検査時には、映像処理回路１２内部での入力切替制御（切換回路２２）以降は輝度信号処理ラインのみを活用する。映像処理回路１２としては各ユニットは基板に各部品実装及び半田付けされたのち、基板ユニット単独での動作試験として基板チェッカ等にて検査されているので、映像処理回路１２内のクロマ、Ｃｂ、及びＣｒの各信号ラインは接続検査を実行しなくても全く問題ない。さらに、映像処理回路１２から表示パネル１３までは、仕上げ最終確認での人による検査（チューナ入力信号による映像のビートや音声のビビリ等の確認）時にチェックされることになるので問題ない。
【００２８】
そして、本発明の特徴として、映像表示装置１は、輝度信号処理部２４の内部に、逆ランプ信号発生手段、ブレンディング手段、及びレベル判定手段を備えるものとする。これらの手段は、映像処理回路１２やマイコン１４などにおいて、ハードウェア及びファームウェアなどとして組み込むとよい。
【００２９】
逆ランプ信号発生手段は、基板間接続検査用に切換回路２２を介して入力するランプ信号に対する逆ランプ信号を発生させる手段であり、映像処理回路１２内のパターン信号発生部２４ａで例示している。パターン信号発生部２４ａは、予め記憶しておいた、逆ランプ信号３２で例示するような逆ランプ信号を、マイコン１４等の命令に基づき発生させる。ここで発生させる信号は、基板間接続検査用に入力することを予定しているランプ信号に対する逆ランプ信号である。
【００３０】
ブレンディング手段は、入力されたランプ信号に対し、輝度信号処理内部においてそのランプ信号と逆ランプ信号発生手段で発生させた逆ランプ信号とを５０％の比率でαブレンディングして、ブレンディング後のレベルを検出する。αブレンディング部２４ｂでは、切換回路２２から入力されたランプ信号３１及びパターン信号発生部２４ａで発生させた逆ランプ信号３２を、各々信号レベル５０％とし（信号３３を参照）、それらを重ね合わせて信号３４で例示するような略フラットな信号とする。ここで、後述するように現在検査している信号ラインにおける基板間接続が不良であった場合には、フラットな信号とならない。
【００３１】
レベル判定手段は、ブレンディング手段でブレンディングされた信号が、ランプ信号のピークレベルの１／２のレベルに対して所定の範囲内のレベルをもつかを判定する手段であり、マイコン１４内のレベル判定部１４ａで例示している。レベル判定部１４ａは、αブレンディング部及びレベル検出部２４ｂでブレンディング及び信号の最大値及び最小値を検出し、そのいずれもが、ランプ信号のピークレベルの１／２のレベルに対して所定の範囲内（１／２レベルを挟む所定範囲内）のレベルをもつかを判定する。
【００３２】
すなわち、レベル判定部１４ａでは、入力されるランプ信号のピークレベル（発生させる逆ランプ信号のピークレベル）の１／２レベルの上限及び下限を設定しておき、αブレンディング後の信号がその上限と下限との間の範囲に収まっているかを判定する。波形例３４で示す例では、全てフラットな信号となっており、レベル判定部１４ａで基板間接続確認ＯＫといった判定がなされるようなものであるが、そうでない場合（接続不良の場合）にはフラットな信号とならず、一部の値が高かったり低かったりする信号となる。このようにして、簡単に、入力信号通りのものが映像表示装置１の内部を伝わってきてるか否かといった判定が可能となる。
【００３３】
なお、レベル判定部１４ａによるレベル判定の結果を様々な方法で検査者に提示するようにしてもよい。例えば、基板間接続に問題がなければ、音無しで検査ラインを通過させ、問題があれば警告音を鳴らすか或いは警告ランプを検査ライン上に発するなどしてもよい。
【００３４】
また、マイコン１４は、パターン信号発生部２４ａ及びαブレンディング部及びレベル検出部２４ｂ（及びレベル判定部１４ａ）を機能させるように、映像処理回路１２に検査開始命令を伝送すると共に、切換回路２２に対しても切換命令を発することとなる。命令のタイミングは、映像表示装置１が基板間接続検査モードに入ったときに設定しておけばよい。さらに、マイコン１４は、各要素信号ラインへの切り換え毎にパターン信号の発生、並びにαブレンディング及びレベル判定を実行させるような命令を発するようにするとよい。
【００３５】
図４は、本発明の基板間接続検査方法の処理手順の一例を説明するためのフロー図である。図４及び図３を主として参照して、上述のごとき映像表示装置１の内部に存在する基板間の接続を検査する方法を例示する。
【００３６】
本発明に係る基板間接続検査方法では、上述のごとく、映像処理回路１２の入力部に入力と出力がクロス切換可能（全ての入力と出力を接続切換え可能）な回路などの切換回路２２を内蔵させておく。そして、まず、外部入力端子１１ａ〜１１ｃの一端子から入力信号としてランプ信号を入力する（ステップＳ１）。映像処理回路１２の輝度信号処理部２５へ入力されることとなるこのランプ信号は、ランプ信号３１で例示のごとき正規のランプ信号であり、ここではランプ信号Ａという。
【００３７】
そして、映像処理回路１２（デジタル信号処理回路）の内部にてパターン信号を発生させる（ステップＳ２）。発生させるパターン信号は、ランプ信号Ａの逆波形で、処理が実行し易いように逆ランプ信号としており、ここでは逆ランプ信号Ｂという。次に、ランプ信号Ａと逆ランプ信号Ｂとを約５０％−５０％の比率でαブレンディングする（ステップＳ３）。このように、外部から加える信号と内部で発生させる信号を約５０％でαブレンディングすることで、信号を判定のし易い形にする。αブレンディングされた信号は、映像処理回路１２の輝度信号処理部２４内でレベル検出され、そのデータがマイコン１４に送られる。
【００３８】
次に、レベル判定部１４ａがこの信号データのレベルを判定する（ステップＳ４）。ステップＳ４では、ブレンディングされた信号が、ランプ信号のピークレベルの１／２のレベルに対して所定の範囲内のレベルをもつかを判定する。αブレンディングされた信号は正常ならランプ信号のピークレベルの１／２のレベルで、フラットな信号となる。この信号の最大値／最小値を検出し、ランプ信号のピークレベルの１／２のレベルからのある規定値範囲内に入っているかどうかで、信号が正常に伝達させているかどうかを判定する。コンポーネント入力時にはＣｂ／Ｃｒの色差信号の替わりに、３系統共にランプ信号を入力し、順次入力部切換え回路にて輝度信号処理回路へ出力されるように切り替えることにより、上述した処理と同様の処理を行う。また、レベル判定部１４ａは、１〜数クロック分ランプ信号と逆ランプ信号とがズレる場合を想定して、ランプ信号におけるランプ波形の両端の所定部分を除いてレベル判定を行うようにしてもよい。
【００３９】
ステップＳ４に続き、映像信号入力部１１の各入力端子１１ａ〜１１ｃから入力した信号が例えば図２での入力端子Ａ〜Ｆに入力され順次信号ラインのレベル判定が終了したか否かを判定し（ステップＳ５）、終了していれば基板間接続検査を終了する。一方、終了していない場合には、切換回路２２にてランプ信号Ａを次の要素信号に対応する入力部へ出力する切り換えを実行し（ステップＳ６）、ステップＳ２（或いはステップＳ３）へ戻る。
【００４０】
ここで、本発明では、デジタルサンプリングした時のタイミングバラツキを考慮して、入力信号としてランプ信号を、発生信号として逆ランプ信号をそれぞれ採用している。つまり、ランプ信号であれば、ズレた場合でも１クロック分ぐらいの差であれば、８ｂｉｔあれば２５６階調のうち、たかだか１階調や２階調ぐらいのズレしか起こらない。従って、上述のレベル判定に用いる上限・下限のスレッシュとしては、１階調や２階調ぐらいのものをもたせておけばよく、基板間接続にエラーがなければその範囲内に収まることとなる。
【００４１】
なお、信号処理系がデジタル系でなく、映像処理回路１２の内部で作る信号パターンがアナログ処理の場合には、当然、信号もアナログで作らないといけないが、バラツキがあるため比較・演算に向いていない。従って、本発明を適用できるのはデジタル信号処理系に限るものとする。また、デジタルなので、例えば１垂直ライン期間の各水平ラインの映像で、最大値や最小値の有無は、簡単に算出できるので、そのデータをマイコン１４側にもってくれば、レベル判定部１４ａにて自身が保持している上限・下限を超えているか否かのチェックが容易に且つ映像表示装置１の中だけで可能となる。
【００４２】
上述のごとく本発明では、本来入力すべき正規信号ではなく各入力へランプ信号を入力し、これら入力された信号は全て後段の輝度信号処理回路へ信号が伝達されるように切換回路にて順次切り替える。そして、輝度信号処理系にてアルファブレンディングされ、映像処理回路からその最大値／最小値を読み出してきて、ある規定値範囲内に入っているかどうかの判定ですむため、製品内部のマイコンにて処理できる。また、本発明では、基板には端子が多く存在し、基板上の未チェックの部分（チェッカラウンドから端子まで等）や基板同士を接続したときの端子間の接続をチェックする必要がある部分は非常に多くなり、本発明を適用することで、そのような端子の多さに関係なく容易にチェックが可能となる。また、上述した輝度信号の概略レベルや同期信号の有無等と組み合わせることにより、より精度の高い検査を行うことも可能となる。
【００４３】
このように、本発明によれば、映像表示装置の内部に存在する基板間の接続を検査するに際し、入力信号が基板間接続部を含め正常に伝送されていることを大掛かりな設備や検査の人件費も必要とせずに簡易に判定することが可能となる。すなわち、本発明によれば、映像表示装置内部の基板間接続の自動検査化（無人化）が大掛かりにならない。
【００４４】
なお、検査工程としてはどうしても画面上でのビート異常確認や音声のビビリ等と言った人が介在して行う最終検査が要求される項目があり、この時点で映像処理回路から表示パネルまでの接続確認がされることとなる。従って、本発明では、信号処理的に同一通過回路部分までを画面表示を割愛して簡易的に検査しており、この検査と上述の最終検査をあわせることにより、各外部入力からの信号も表示パネルまで正常に伝わっているかどうかが判定できることとなる。
【図面の簡単な説明】
【００４５】
【図１】本発明の一実施形態に係る映像表示装置の一構成例を示すブロック図である。
【図２】図１の映像表示装置における切換回路の一例を示す配線図である。
【図３】本発明の基板間接続検査に用いるランプ信号、そのランプ信号に対応する逆ランプ信号、並びにそれら信号のαブレンディング処理について、概略的に例示する図である。
【図４】本発明の基板間接続検査方法の処理手順の一例を説明するためのフロー図である。
【符号の説明】
【００４６】
１…映像表示装置、１１…映像信号入力部、１１ａ…コンポジット信号入力端子、１１ｂ…Ｙ／Ｃ信号入力端子、１１ｃ…コンポーネント信号入力端子、１２…映像処理回路、１３…表示パネル、１４…マイクロコンピュータ（マイコン）、１４ａ…レベル判定部、１５…操作部、２１…ＡＤコンバータ、２２…切換回路、２３…Ｙ／Ｃ分離部、２４…輝度信号処理部、２４ａ…パターン信号発生部、２４ｂ…αブレンディング部・レベル検出部、２５…色信号処理部、２６…画質補正部。
【図１】
2007174257.tif 000003
【図２】
2007174257.tif 000004
【図３】
2007174257.tif 000005
【図４】
2007174257.tif 000006